(57)【特許請求の範囲】
【請求項１】
引戸が走行する軌道下の床面に凹設した下穴に出没自在に内設した床側ガイドの昇降体を、引戸の下端面に形成した扉側ガイドの走行溝に突出状態で係合して引戸の走行を案内する引戸ガイド装置において、
前記床側ガイドは、                                                                                                         
上端開口の筒体で、その開口内縁から外向きに延びる鍔状フランジを形成し、該鍔状フランジを穴縁に係止して前記下穴内に固設する嵌着手段と、前記昇降体を組み込む上端開口の筒体で、その開口内縁から外向きに延びる環状鍔部を形成し、該環状鍔部を前記嵌着手段の前記開口内縁に載せて前記嵌着手段に嵌着するケースを備え、
前記嵌着手段には、その上端開口の開口内縁と前記ケースの前記鍔状フランジとの間に、前記ケースの環状鍔部が載った前記嵌着手段の前記開口内縁の方を低くした段差を設けてなることを特徴とする、引戸ガイド装置。
【請求項２】
前記嵌着手段は、前記段差を、前記ケースを嵌着して前記環状鍔部を前記嵌着手段の前記開口内縁に載せたとき、前記環状鍔部が前記鍔状フランジを越えて突出しない高さに設定してなることを特徴とする、請求項１に記載の引戸ガイド装置。
【発明の詳細な説明】
【技術分野】
【０００１】
本発明は、引戸が走行する床面に凹設した下穴に出没自在に内設した昇降体を、引戸の下端面に形成した走行溝に突出状態で係合し、引戸を横振れしないで直進するように案内する引戸ガイド装置に関する。
【背景技術】
【０００２】
従来、この種の引戸ガイド装置は、引戸が走行する床面に間隔をおいて下穴を凹設し、下穴には、それぞれ昇降体を出没自在に内蔵したケースを内設する一方、引戸の下端面に凹設した細長い走行溝の戸先側と戸尻側に、磁石を有した磁着体を配設し、引戸の開閉時に磁着体が床側の昇降体の上に至ると、磁力により昇降体を引き上げて走行溝に係合し、引戸が横振れしないで直進するように案内する構造のものが知られている（特許文献１参照）。この引戸ガイド装置は、ケースの外周面に係止用突起を凸設し、この係止用突起が下穴の内周面に係止されることにより昇降体のケースを床面に埋設固定される構造になっている。
【０００３】
この引戸ガイド装置において、一般に、室内の床面は、木質材からなることが多いが、近年、マンションの増加に伴い木質材ではなくＲＣ下地で施工される場合が多く、その場合は床面がコンクリートであるために所望の寸法、形状に下穴を正確に形成することが困難になっている。そのため、コンクリート製床面に形成する下穴は、不正確な寸法、形状で且つ内周面が粗くて硬いものとなっている。従って、そのような下穴にケースがそのまま収容されると、その外周面の係止用突起は下穴の硬い内周面に係止され難くいために、ケースが床面に確実に埋設固定されないという問題があった
【０００４】
そこで、従来の引戸ガイド装置の中に、たとえば図８に示すように、コンクリート製床面ｆに凹設した下穴１内に合成樹脂製の略筒状の保持部材２を固設し、この保持部材２内に、昇降体３を内蔵したケース４を収容することになるので、ケース４の外筒体５の外周面に形成した係止用突起５ａが下穴１の内周面に係止することで、ケース４が床面ｆに確実に埋設固定されるようにしたものがある（特許文献１参照）。
【先行技術文献】
【特許文献】
【０００５】
【特許文献１】特開平８−３２６４０２号公報
【特許文献２】特開２０１４−５６６９号公報
【発明の概要】
【発明が解決しようとする課題】
【０００６】
しかし、従来の引戸ガイド装置において、昇降体３のケース４は、コンクリート製下穴１内に固設した保持部材２内に、その底板部２ｂ上に重なって底部４ａが載った状態で埋設固定されるから、昇降体３が収納状態にあるケース４の内筒体６の上端部６ａが保持部材２の鍔状フランジ部２ａより一段高く床面ｆから出っ張り、通行時にその出っ張りにつまずいて転んだりする危険性があり安全性に欠けるという課題があった。
【０００７】
そこで、本発明の目的は、床面に歩行の妨げになる出っ張りのない安全な引戸ガイド装置を提供することにある。
【課題を解決するための手段】
【０００８】
請求項１に記載の発明は、たとえば以下に示す図示実施の形態のとおり、引戸１０が走行する軌道下の床面Ｆ２に凹設した下穴１６に出没自在に内設した床側ガイドｇ２の昇降体１５を、引戸１０の下端面１０ａに形成した扉側ガイドｇ１の走行溝１１に突出状態で係合して引戸１０の走行を案内する引戸ガイド装置Ｇにおいて、前記床側ガイドｇ２は、上端開口の筒体で、その開口内縁１９から外向きに延びる鍔状フランジ１９ａを形成し、該鍔状フランジ１９ａを穴縁に係止して前記下穴１６内に固設する嵌着手段１３と、前記昇降体１５を組み込む上端開口の筒体で、その開口縁から外向きに延びる環状鍔部１４ｂを形成し、該環状鍔部１４ｂを前記嵌着手段の前記開口内縁１９に載せて前記嵌着手段１３に嵌着するケース１４を備え、前記嵌着手段１３には、その上端開口の開口内縁と前記ケースの前記鍔状フランジ１９ａと前記開口内縁１９との間に、前記ケース１４の環状鍔部１４ｂが載った前記嵌着手段の前記開口内縁１９の方を低くした段差ｈを設けてことを特徴とする。
【０００９】
請求項２に記載の発明は、請求項１に記載の引戸ガイド装置Ｇにおいて、たとえば以下に示す図示実施の形態のとおり、前記嵌着手段１３は、前記段差ｈを、前記ケース１４を嵌着して前記環状鍔部１４ｂを前記嵌着手段の前記開口内縁１９に載せたとき、前記環状鍔部１４ｂが前記鍔状フランジ１９ａを越えて突出しない高さに設定してなることを特徴とする。
【発明の効果】
【００１０】
請求項１に記載の発明によれば、床側ガイドにおいて、嵌着手段には、鍔状フランジと開口内縁との間に該開口内縁の方を低くした段差を設けることにより、昇降体が収納状態のケースが嵌着手段の鍔状フランジより高く突出することが抑えられるから、床面に歩行の妨げになる出っ張りが殆どなくなり、引戸周りの安全性を向上させることができる。
【００１１】
しかも、請求項２に記載の発明によれば、床側ガイドにおいて、嵌着手段は、開口内縁と外周の鍔状フランジとの間の段差を、ケースを嵌着して環状鍔部を載せたとき、環状鍔部が鍔状フランジを越えて突出しない高さに設定しているため、昇降体が収納状態のケースが嵌着手段の鍔状フランジより高く突出することがないから、床面に歩行の妨げになる出っ張りがなくなり、引戸周りの安全性をより一層向上させることができる。
【図面の簡単な説明】
【００１２】
【図１】本発明の一例である引戸ガイド装置を、突出状態の昇降体が走行溝に係合して引戸の走行を案内する状態を示す縦断面図である。
【図２】（Ａ）同引戸ガイド装置を、床側ガイドを昇降体の収納状態において示す平面図（Ｂ）Ｘ−Ｘ断面図である。
【図３】同引戸ガイド装置の床側ガイドを、嵌着手段とケースに分解して示す斜視図である。
【図４】昇降体が収納状態で床側ガイドを示す組立斜視図である。
【図５】昇降体が収納状態の床側ガイドを縦に破断して示す斜視図である。
【図６】（Ａ）昇降体が突出状態の床側ガイドを示す平面図（Ｂ）図Ａ中線Ｙ−Ｙ断面図である。
【図７】引戸ガイド装置を（Ａ）突出状態の昇降体を走行溝に係合して引戸の走行を案内する通常の状態を示す縦断面図（Ｂ）突出状態の昇降体を走行溝に係合して引戸の走行を案内するとき、引戸が煽られたために昇降体のケースが嵌着手段から外れて衝撃吸収状態を示す縦断面図である。
【図８】従来の引戸ガイド装置の床側を（Ａ）ケースから昇降体が突出した状態において示す平面図（Ｂ）縦断面図である。
【発明を実施するための形態】
【００１３】
以下、図面を参照しつつ、本発明の実施形態について説明する。
【００１４】
図１は、本発明の一例である引戸ガイド装置を、突出状態の昇降体が走行溝に係合して引戸の走行を案内する状態を示し、図２は同じ引戸ガイド装置の床側ガイドを昇降体の収納状態において示す。図示例では、天井側に固定した引戸レール（図示省略）に戸車を介して係合した引戸１０を開閉方向に走行自在に吊持し、引戸１０を走行して開口部を開閉するとき、本発明の引戸ガイド装置Ｇを作動し、床面Ｆ２上を開閉方向に走行する引戸１０が横振れしないで直進するように案内する。
【００１５】
引戸ガイド装置Ｇは、引戸１０の下端面１０ａの長さ方向に沿って走行溝１１に内設する扉側ガイドｇ１と床Ｆに配設する床側ガイドｇ２とからなる。扉側のガイドｇ１は、走行溝１１において、両端の凹溝１１ａに内設する一対の磁着手段（図示省略）と、両端凹溝間の中間凹溝に敷設するガイドレール１２とからなる。磁着手段は磁石を備え、磁力により床側ガイドｇ２の後述する昇降体１５を突出させ、その突出状態の床側ガイドｇ２の昇降体１５を、引戸１０の走行溝１１に係合して引戸１０の走行を案内する。
【００１６】
一方、床側ガイドｇ２は、引戸１０が走行する軌道下の床Ｆに間隔を置いて複数備え、それぞれ嵌着手段１３と、嵌着手段１３に嵌着するケース１４と、ケース１４に出没自在に内設する昇降体１５を備える。図示例の床Ｆは、モルタルで床本体Ｆ１を構築し、床本体Ｆ１上に塩化ビニルシートを葺いて床面Ｆ２を形成する。床Ｆには、引戸１０が走行する軌道下の床面Ｆ２に、下穴１６を間隔を置いて予め凹設する。
【００１７】
嵌着手段１３は、図３、図４および図５に示すように、全体に上端開口の桶形筒状に樹脂により一体に成形し、下部側の椀状籠形掛け止め部１７と上部側の保持部１８からなる。掛け止め部１７は、外周に斜め上向きに多数の引っ掛け爪１７ａ…を突設し、内部に雌ねじ穴を有するボス部１７ｂを立設する。保持部１８は、内周が八面体で、図中上側の開口内縁１９に、外向きに延びる鍔状フランジ１９ａを形成する一方、図中下側の掛け止め部１７との境界位置には係止段部２１を形成する。そこで、保持部１８は、内周面２０での厚さを係止段部２１から開口内縁１９に向かうに従い次第に薄くして内周面２０にテ―パを付けて形成し、内周面２０に嵌着したケース１４との間に隙間Ｓを設ける構成にする。他方、開口内縁１９は、その外周のフランジ１９ａとの間を段状に形成して間に段差ｈを設ける。段差ｈは、保持部１８にケース１４を嵌着して環状鍔部１４ｂを開口内縁１９に載せて係止したとき、環状鍔部１４ｂが鍔状フランジ１９ａを越えて突出しない高さに設定する。
【００１８】
ケース１４は、樹脂製で、上下両端を開口し、嵌着手段１３の内形に合わせて外周が八面体状のケース本体部１４ａと、ケース本体部１４ａの図中上端に開いた突出口２２の開口縁から円形鍔状に延びるフラットな環状鍔部１４ｂとからなる。ケース本体部１４ａは、内側に重ねて上側開口が突出口２２の筒状ガイド穴２３を形成する。ガイド穴２３は、円周壁２３ａの一部が平面２３ｂの断面Ｄ形の回転規制穴で形成し、突出口２２の開口縁には、円周部位に抜け止め顎部２３ｃを内向きに突設する。更に、ケース本体部１４ａは、外壁部の下端の対向部位に連結爪１４ｃを外向きに突設する。一方、環状鍔部１４ｂは、ガイド穴２３の平面２３ｂへ連なる突出口２２の開口縁に向け次第に低く勾配になった案内溝２９を設ける。
【００１９】
昇降体１５は、それぞれケース１４のガイド穴２３に入れ子状に重ねて組み入れる円筒状の第１凸部材２４と、第１凸部材２４に入れ子状に重ねて組み入れるピン状の第２凸状部材２５とからなる。
【００２０】
第１凸状部材２４は、ケース１４のガイド穴２３に合わせて、一部が平面２４ａの断面Ｄ形の回転規制穴が貫通した樹脂製の円筒体で、図中下端の周縁に抜け止め鍔部２４ｂを外向きに突設する。第２凸状部材２５は、図中上側になる先端の頭部２５ａが笠状のビス形をなす金属の磁性材からなり、基端の外周には、その端面に抜け止めリング２６のを有する。
【００２１】
そこで、床側ガイドｇ２は、まず、突出口２７から第１凸状部材２４内に第２凸状部材２５を挿入してから、円周溝に抜け止めリング２６を嵌着して抜け止めし、第２凸状部材２５を、第１凸状部材２４に入れ子式に重ねて突出口２７から出没自在に連結して昇降体１５を組み立てる。それから、昇降体１５をケース１４のガイド穴２３に下側開口２８から嵌入する。そのとき、第１凸状部材２４を位置決め保持した状態で、ガイド穴２３内に入れ子状に重ねて突出口２２から出没自在に内設する。
【００２２】
嵌着手段１３は、図１および図２に示すように、引戸１０が走行する軌道の下の床面Ｆ２に間隔をあけて予め凹設した下穴１６内に、接着剤、シーリング剤、コーキング剤等の充填剤３０を注入し、それが未硬化の状態で嵌め入れ、穴周壁に引っ掛け爪１７ａ…を引っ掛けて抜け止め状態で内設する。また、掛け止め部１７のボス部１７ｂを止めネジ３５で穴底１６ａに捩じ込む。そして、充填剤３０が硬化することによって嵌着手段１３は下穴１６内に固設される。次いで、下穴１６内で嵌着手段１３にケース本体部１４ａを嵌め込んでボス部１７ｂ上に載置する一方、環状鍔部１４ｂを開口内縁１９に載せて係止した状態で、連結爪１４ｄを係止段部２１に係止して抜け止めし、ケース１４を嵌着手段１３の保持部１８に嵌着する。そのとき、嵌着手段１３は、保持部１８の内周面２０において、ケース本体部１４ａとの間に隙間Ｓを生ずる遊嵌状態でケース１４を嵌着する。以上のように床側ガイドｇ２を組み立て、引戸１０が走行移動する軌道下の床面Ｆ１に設置する。
【００２３】
従って、本発明の引戸ガイド装置Ｇでは、床側ガイドｇ２において、嵌着手段１３の開口内縁１９は、その外周の鍔状フランジ１９ａとの間を段状に形成して間に段差ｈを設け、その段差ｈを、保持部１８にケース１４を嵌着して環状鍔部１４ｂを載せたとき、環状鍔部１４ｂが鍔状フランジ１９ａを越えて突出しない高さに設定しているため、昇降体１５が収納状態のケース１４が嵌着手段１３の鍔状フランジ１９ａより高く突出することがないから、床面Ｆ２に歩行の妨げになる出っ張りが殆どなくなり安全性を向上させることができる。
【００２４】
さて、図示例の引戸ガイド装置Ｇでは、引戸１０の走行時、図７（Ａ）に示すように、扉側ガイドｇ１の磁石の磁力により昇降体１５の第２凸状部材２５と第１凸状部材２４を床側ガイドｇ２のケース１４の突出口２２から順次、入れ子式に立ち上げて、第２凸状部材２５の頭部２５ａを、引戸１０の走行に従い、走行溝２０のガイドレール１２に係合して引戸１０を開閉方向に直進するように案内する。ところが、走行時、引戸１０が煽られて側圧Ｐが加わることがあると、その際にケース１４が強い固定状態にあることが災いし、図示例のように床本体Ｆ１がコンクリートよりも強度の落ちるモルタルからなる場合にモルタルやタイルカーペットや塩化ビニルシートに亀裂やひびが入ったり割れたりして床面を損壊するおそれがある。
【００２５】
しかし、図示例の引戸ガイド装置Ｇでは、床側ガイドｇ２において、嵌着手段１３は、保持部１８の内周面２０において、ケース本体部１４ａとの間に隙間Ｓを生ずる遊嵌状態でケース１４を嵌着して可動に配設するから、走行時、例えば図７（Ｂ）に示すように、引戸１０が煽られて側圧Ｐが加わると、それに応じて、ケース１４が隙間Ｓを遊動して嵌着手段１３の保持部１８から外れることで衝撃を緩衝し、その結果、ケース１４が嵌着手段１３内に強い固定状態にあることに関係なく、たとえ床面Ｆ１がコンクリートよりも強度の落ちるモルタル等からなる場合でもモルタル等が割れたりして損壊することを防止することもできる。
【符号の説明】
【００２６】
Ｆ２                    床面
Ｇ                      引戸ガイド装置
ｇ１                    扉側ガイド
ｇ２                    床側ガイド
ｈ                      段差
Ｍ                      磁石
１０                    引戸
１０ａ                  引戸の下端面
１１                    走行溝
１３                    嵌着手段
１４                    ケース
１５                    昇降体
１６                    下穴
【図１】
0005956504.tif 000002
【図２】
0005956504.tif 000003
【図３】
0005956504.tif 000004
【図４】
0005956504.tif 000005
【図５】
0005956504.tif 000006
【図６】
0005956504.tif 000007
【図７】
0005956504.tif 000008
【図８】
0005956504.tif 000009